(57)【要約】［課題］    夜間暗闇で、扉やエンジンの鍵穴を直ちに認識することに困っている。現在エンジン用には鍵穴の周りをランプ化したものもあるが、してないものも多い。そこで特に既存車に安価に簡単に対策したい。［解決手段］    自動車や家屋などの鍵穴の存在を夜間の暗闇においても明示する為に使用する夜光塗料（発光塗料）を塗布して鍵穴の周りに貼付しうるように所謂ワンタッチ式（糊面の被いを剥がして直ぐ貼付しうるようにしたもの）の裏糊付きにして中央に鍵穴用の孔を明けた円形などの、「鍵穴用夜光塗料パッチ（又はシール）と呼ぶことにする、パッチ（シールとも言う）。［選択図］    なし。【特許請求の範囲】
【請求項１】
自動車や家屋などの鍵穴の存在を夜間の暗闇において明示する為に使用する夜光塗料（発光塗料）（大辞林第二版２０８７頁、三省堂）を塗布して鍵穴の周りに貼付しうるように所謂ワンタッチ式（糊面の被いを剥がして直ぐ貼付しうるようにしたもの）の裏糊付きにして中央に鍵穴用の孔を明けた円形などの、「鍵穴用夜光塗料パッチ（又はシール）」と呼ぶことにする、パッチ（シールとも言う）。
【発明の詳細な説明】
【手続補正書】
【提出日】平成16年10月9日(2004.10.9)
【手続補正１】
【補正対象書類名】明細書
【補正対象項目名】全文
【補正方法】変更
【補正の内容】
【発明の詳細な説明】
【発明の詳細】
夜間暗闇、扉やエンジンの鍵穴を直ちに認識するのに困っている。現在、エンジン用には鍵穴の周りをランプ化したものも多い。  また、ドアは、電波リモートオープナーで開錠できるものもあるが、そのボタンスイッチが暗闇では見づらい。  そこで、新車には、鍵穴の周りに「夜光塗料＝発光塗料（蛍光体または燐光体を用いて暗所で発光するようにした塗料。有機蛍光色素や硫化亜鉛に銅などの重金属を微量に加えたものが多く使われ、さらにこれにラジウムなどの放射性物質をごく微量に添加すると完全な暗黒でも自ら発光する（大辞林第二版、２０８７頁、三省堂）」を塗布したい。  しかし、既存車も、我国だけでも７千数百万台もあるので、これらには、発光塗料を塗ったドウナツ型の裏糊式のシールを貼ると便利になろうと考えた。  なお、今日の機械類には殆ど電子デバイスが侵入しており大変便利なものになっている。しかし、私は、それらを広く使用して見て、どうも防犯的では無いような気がする。機械式鍵は、車なら車、玄関なら玄関の所に行かないと、開けたり閉めたり出来ないが、電波式のものは、どんなに遠くからでも開錠できる。  私のジャガーＳやＭＧロードスターは電波式であるが、例えば、窃盗者に鍵を渡さなくても、電磁波で窃盗者に指令を出し、現場に行かせて解錠してやれば、その者を一回限りの窃盗者として使えることになる。どうも斯かる手口で以て窃盗に遭うらしい。  従って、悪メーカーに掛かると、そう言うように犯人を使っては愛車を次々にちょこちょこと破壊されて、遂には大修理に出すか、買い替えるかする以外に無いようにユーザーを追い込んでいるように思えて仕方がない。  出来るだけ自己で防犯したい人達には、鍵は矢張り機械式に限る。特に、高級マンションや高級車を自家用とする人達には、機械式が好ましい。専門店で以て求めて一年に一度くらい鍵を自分で取り替えて使えるようになれば尚安全である。  私は、もう何十年も玄関と車で、何度取り替えても合い鍵を窃盗者に流されて夥しい盗難と家屋や家財や書籍類の毀損の目に会い、度々鍵を取り替えても今日なお私の目が盗める折には窃盗に会い続けている。  警察に幾ら届けても、警察法にある「予防・鎮圧」の義務を果たそうとはせず、分限者は当然ですよとの態度である。警察が市民の生活の犯罪化に厳正に対決する姿勢を全く失って仕舞い、唯、貧しい階級にウインクしていれば、食えなくなることは無いとの態度に終始する。  広島県には、警部より上級の警視以上が１３８名もいる。一人１５００万円としても年間２１億円の給与総額となる。ところが、彼らの姿を市中で或いは一般署で見かけることは全く無い。街で会うのは、巡査長までである。  これらの警視以上が市民の中の代表的家庭や人物を電磁波で以て覗いては、愚昧な政治家やその一味の無知蒙昧な不良を操縦して、結局は、裕福な知識階級から財産と生命を削り盗ることになっているのではないか。  己に、富を生み出す能力の無い者で市民に影響力のある地位を得た者の意地悪さ程市民を失望させることはない。  こん後、若し、こう言う地位に就いている無為徒食者が勤務態度を改め無いのであれば、その地位を全員剥奪してしまう。  こう言う政治家と公務員に一般市民が食い滅ぼされては、日本は無くなるし、��れまで、何千年の長きに渡って、国民を支えて代々生きて来た甲斐が無い。普通選挙主義ほど所謂役人を堕落させる制度はない。  正しい心の残っている人達は、是非、ヘンリー・フォードの「今日と明日」を読んで貰いたい。彼の時代には、アメリカにおいてさえ普通選挙は行なわれていなかった。にも拘らず、今日、日本やその他の多くの国で見られている「民主主義的堕落退廃」が横行して憚らなかった。稼げば稼ぐほど貧民を略奪の先頭に扇動して政府と言うものは富者に襲い掛ってくる。  民主政府と言うものを、時々普通選挙を止めて高額納税者選挙に改めて大掃除しないと、健全で公正な国態と国民生活が復活することはありえない。日本やアメリカの国家借金の巨額ほどその「民主主義的堕落と退廃」を物語っているものは無い。  働きに働いて出来るだけの納税をする者以上に、「国家国民の墮落退廃化」の張本人たちが金回りよく暮らし威張り散らし、やれるものなら、俺達を首にして見ろと悪態の限りを毎日々々何ら良心の咎めも無く演じて憚らない精神は大変な「分裂病者＝錯乱者（物事の正邪善悪の判断が鈍って来ること、そして遂には不能になって仕舞うこと）」と言う他は無い。従って、家族や親族の殆どをその正邪善悪の判断の不能家族にして仕舞うので、子孫は社会適応性を全く失って仕舞い、生存性すら危なくなって仕舞うと言うことは、明治以来の政治家の辿って果てた歴史を顧みてみれば、誰もがよくよく知っていることである。だから、善良で健全な市民は耐えて堪え忍んでおれるのである。  一般に、分裂病とは、「感情鈍麻・自閉、意欲減退・奇行・事実に反する妄想」などの現象であると言われている。従って、正邪善悪の判断力を失った「同和主義者」は兎に角公正で健全な市民を電磁波に乗って迫害しさえすれば、遂には善良な市民たちが「感情を鈍麻させて意欲を失い、自分たちに反撃を加える力も生活も喪失して仕舞い、終には精神病院の藻屑と没して仕舞う」と、益々分裂錯乱を深めて行く。  善良で犯罪に陥没していない市民は、彼らは逃れられない精神の病に罹患しているのであるから、と必要以上に心を苛立て荒立て無いようにして、彼らの狂気を適当にあしらって、彼らの狂気の燃え尽きるのを、自己の労働稼ぎを忘れないで待つ以外に無い。何故なら、彼らを矯正する即ち犯罪を予防・鎮圧する「警視」達が同病に罹患して仕舞っているのであるから。そして、政党化の極度に安泰化した政党政治家たちは、ただそこに漬っていれば、殆ど地位を失うことは無く、その政党内に、自矯再生能力は全く無いからである。  兎に角、普通選挙制度は、国体のあらゆる機関と機能を「正邪善悪」判断不能に詰まるところは陥らしめて仕舞い、従って、その当事者たちでは、自らを矯正更生させることは不可能となる。自己の犯罪を自白転向することは中々不可能なようである。そう言う自裁をしては、現在の超高収入の高位高官の地位を失い、貧しい市民階級に逆戻りして仕舞いもうそこから絶対にそのような地位には戻れないと思うからである。  彼らは、よく知っているのである。日産自動車の創業者鮎川義介の子息金次郎が選挙違反辞職した後「紐つき選挙」の「紐」に憑かれて、「食えない食えない金をくれ」と迫られて、とうとう山谷だかに落ちても尚かつ金をせびられてとうとう堪え切れなくなってしまったことを。或いは、その「紐」をも「現在の高位高官の紐たち」は演じていたのかも知れない。  国民に取り組むべき仕事や職を与えることには自らの生い立ちからして全く何らの興味も示さず、即ち国民の為に生きる道を捜す努力を尽くそうとは全くせず、お布施を強要し続ける為には、金次郎とは反対に、現に何の利害関係も無い我が家を「封建時代は親の仇」と分裂度を強めて迫害し続けている。言って聞かせてももう理解できる能力を持たない。１０月１日には新札を発行して、尚狂気の猛威を振るい捲ると言う。  財政は、一千兆円もの借財を抱えて破綻状態にある。こん後、果たして何年否何か月この電磁波の発射装置をリース出来るのであろうか。この事実は彼らも私たちもほぼ確実視できている。  獣の牛耳る社会は早晩必ず終焉する。新しい社会で羽ばたける精神と生活力を健全に用意しなくてはならない。先ず、人間として、「正邪善悪」を判断できる精神とその判断を正々堂々とあらゆる生活における他人関係において語り合える人間的な勇気を是非とも持ちたいものである。